(57)【要約】【課題】  破損することなく、視認性良好な表示灯を有する消火栓格納箱を提供すること。【解決手段】  前面開口の格納箱本体と、該本体の前面開口周囲に形成された矩形フレーム部と、上記本体の前面開口を開閉し得るように上記矩形フレーム部に開閉自在に取り付けられた開閉扉からなる消火栓格納箱であって、上記開閉扉は上記矩形フレーム部の内側に該フレーム部に沿って取り付けられており、上記矩形フレーム部の前面側に発光部を上記開閉扉の一辺に沿う方向に設ける。【選択図】  図１
2007229108.tif 000002
【特許請求の範囲】
【請求項１】
前面開口の格納箱本体と、該本体の前面開口周囲に形成された矩形フレーム部と、上記本体の前面開口を開閉し得るように上記矩形フレーム部に開閉自在に取り付けられた開閉扉からなる消火栓格納箱であって、
上記開閉扉は上記矩形フレーム部の内側に該フレーム部に沿って取り付けられており、
上記矩形フレーム部の前面側に発光部を上記開閉扉の一辺に沿う方向に設けたものであることを特徴とする消火栓格納箱。
【請求項２】
上記発光部は前面がフラットな細長形状の赤色発光部を有することを特徴とする請求項１記載の消火栓格納箱。
【請求項３】
上記発光部は上記矩形フレーム部の前面側から側面側に回り込む横断面Ｌ型の赤色発光部を有することを特徴とする請求項１記載の消火栓格納箱。
【請求項４】
上記発光部は上記矩形フレーム部の前面側に設けられた円形の赤色発光部を有することを特徴とする請求項１記載の消火栓格納箱。
【請求項５】
上記発光部は、上記消火栓格納箱の上半部の矩形フレーム部に設けられていることを特徴とする請求項１〜４の何れかに記載の消火栓格納箱。
【請求項６】
上記発光部は、上記消火栓格納箱の上記矩形フレーム部の上横辺部と左右縦辺部の各々３箇所に設けられていることを特徴とする請求項１〜４の何れかに記載の消火栓格納箱。
【請求項７】
上記発光部の前面側に横断面山形のテーパ面を突出形成したものであることを特徴とする請求項２に記載の消火栓格納箱。
【請求項８】
上記発光部の光源は発光ダイオードであることを特徴とする請求項１〜７の何れかに記載の消火栓格納箱。
【発明の詳細な説明】
【技術分野】
【０００１】
本発明は、例えばオフィスビル、体育館等の各種建築物内において使用される消火栓格納箱に関するものである。
【背景技術】
【０００２】
従来、一般に使用されている消火栓格納箱は、図１４に示すように、前面側上部に中央に表示灯１が設けられており、該表示灯１の左側に警報ベルの放音部２、表示灯１の右側に警報スイッチ３が設けられている。
【０００３】
そして、この表示灯１は各方向からの視認性を向上するために、前面側に大きく突出する半球状であり（図１４（ｂ）（ｃ））、常時赤色に点灯することにより、特に夜間や停電時に消火栓の位置を表示する機能を有するものである（特許文献１）。
【０００４】
【特許文献１】特開２００４−２３６９１８号公報
【発明の開示】
【発明が解決しようとする課題】
【０００５】
ところで、この種の従来の消火栓格納箱は、その表示灯１が前面パネルより前方に相当程度突出しているので、例えば体育館等の壁面に設置した場合に、ボール等の接触により破損する可能性があり、そのため表示灯１の金属製保護カバーが必要であった。
【０００６】
また、体育館に限らず、オフィスビル等においても、各種備品の搬入作業中等に物が表示灯１に当接することがあった。
【０００７】
本発明は、上記従来の課題に鑑みてなされたもので、破損等を防止し得ると共に視認性の良い表示灯を備えた消火栓格納箱を提供することを目的とする。
【課題を解決するための手段】
【０００８】
上記の目的を達成するため本発明は、
第１に、前面開口の格納箱本体と、該本体の前面開口周囲に形成された矩形フレーム部と、上記本体の前面開口を開閉し得るように上記矩形フレーム部に開閉自在に取り付けられた開閉扉からなる消火栓格納箱であって、上記開閉扉は上記矩形フレーム部の内側に該フレーム部に沿って取り付けられており、上記矩形フレーム部の前面側に発光部を上記開閉扉の一辺に沿う方向に設けたものであることを特徴とする消火栓格納箱により構成される。
【０００９】
上記矩形フレーム部は、実施形態においては例えば格納箱本体（１１）とは別体の矩形フレーム（１３）により構成しているが、格納箱本体（１１）と一体的にその前面開口周囲に設けても良い。上記開閉扉は、警報機器等の格納部を開閉する上部扉（１６）或は消火栓ホース等の格納部を開閉する下部扉（１７）等をいうが、警報機器等の格納部が存在しない場合は上部扉（１６）を有しない場合もある。上記発光部は、例えば長方形状の赤色拡散板（２３）等によりなるフラット型表示灯（１８）等により構成することができる。
【００１０】
第２に、上記発光部は前面がフラットな細長形状の赤色発光部を有することを特徴とする上記第１記載の消火栓格納箱により構成される。
【００１１】
上記赤色発光部は例えば長方形状の赤色拡散板（２３）からなるフラット型表示灯（１８）により構成することができる。
【００１２】
第３に、上記発光部は上記矩形フレーム部の前面側から側面側に回り込む横断面Ｌ型の赤色発光部を有することを特徴とする上記第１記載の消火栓格納箱により構成される。
【００１３】
上記赤色発光部は、例えば矩形フレーム部に設けられた横断面Ｌ型の赤色拡散板（２３）を有するアール型表示灯（１８’）により構成することができる。
【００１４】
第４に、上記発光部は上記矩形フレーム部の前面側に設けられた円形の赤色発光部を有することを特徴とする上記第１記載の消火栓格納箱により構成される。
【００１５】
円形の赤色発光部としては、例えば赤色半球型表示灯（１８”）等により構成することができる。
【００１６】
第５に、上記発光部は、上記消火栓格納箱の上半部の矩形フレーム部に設けられていることを特徴とする上記第１〜４の何れかに記載の消火栓格納箱により構成される。
【００１７】
例えば、上記発光部を矩形フレーム（１３）の上横辺部（１３ｃ）の前面中央部等に設けることができる。
【００１８】
第６に、上記発光部は、上記消火栓格納箱の上記矩形フレーム部の上横辺部と左右縦辺部の各々３箇所に設けられていることを特徴とする上記第１〜４の何れかに記載の消火栓格納箱により構成される。
【００１９】
第７に、上記発光部の前面側に横断面山形のテーパ面を突出形成したものであることを特徴とする上記第２に記載の消火栓格納箱により構成される。
【００２０】
第８に、上記発光部の光源は発光ダイオードであることを特徴とする上記第１〜７の何れかに記載の消火栓格納箱により構成される。
【００２１】
尚、本発明の構成に対応して実施形態中の符号をかっこ書で示したが、これは対応関係を明確にするために便宜上表示したものであって、本発明の構成が実施形態中の構成に限定されるものではない。
【発明の効果】
【００２２】
本発明によれば、表示灯が格納箱の前面から大きく突出するということはなく、また表示灯も非常に小型であるため、表示灯の破損等の危険を極めて少なくすることができ、狭い通路等に支障なく設置が可能な消火栓格納箱を実現し得る。
【００２３】
また、表示灯を消火栓格納箱の開閉扉の周囲の矩形フレーム部に設けたので、表示灯の突出をほとんどなくすことができると同時に、視認性の十分に高い表示灯を有する消火栓格納箱を実現し得る。
【発明を実施するための最良の形態】
【００２４】
以下、本発明に係る消火栓格納箱を詳細に説明する。
【００２５】
図１において、１０は本発明に係る第１の実施形態の消火栓格納箱を示すものであり、同図（ａ）は壁面埋込型の消火栓格納箱の正面図、同図（ｂ）は（ａ）の消火栓格納箱の壁面埋込状態の一部断面側面図、同図（ｃ）は露出型の消火栓格納箱１０’の側面図である。
【００２６】
まず、壁面埋込型（図１（ａ）（ｂ））の消火栓格納箱１０について説明する。図１（ａ）（ｂ）において、１１は格納箱本体であり、直方体形状の有底の箱型をなすものであり、前面側は前面開口部１１ａを形成すると共に（図３参照）、前面開口部１１ａの内周面に全周に亘り、各内周面に直交する突出リブ１２が内側に向けて設けられている。この突出リブ１２には扉取付用の矩形フレーム１３(後述)を取り付けるためのアジャストボルト用透孔１２ａが複数貫設されている。
【００２７】
１３は扉取付用の長方形の矩形フレーム（矩形フレーム部）であり、そのフレーム開口部１３ａは（図３）上記本体１１の前面開口部１１ａと略同様か若干大きな開口面積を有するように構成されている。また、上記フレーム１３の開口部１３ａの各内周面からは、各々後方（格納箱方向）に向けて取付板１４が上記内周面全周に亘り突設されており、その取付板１４の後端縁１４ａは、上記フレーム１３の後端縁１３ｂの位置よりさらに後方に位置するまで延長されている（図５参照）。
【００２８】
上記取付板１４の後端縁１４ａには該取付板１４に直交する突出リブ１５が、内側に向けてかつ上記後端縁１４ａの全周に亘り設けられており、その突出リブ１５の板面には、上記格納箱本体１１の上記突出リブ１２のアジャストボルト用透孔１２ａに対応する位置に、同じくアジャストボルト用透孔１５ａが複数貫設されている。
【００２９】
また、当該矩形フレーム１３の上記取付板１４の右側（図３の右側）の縦側面１４ｂ内側には、消火栓格納箱１１の上部における警報機器格納部１６’を開閉する上部扉（開閉扉）１６と、該格納箱１１の下部における消火栓及び消火ホース格納部１７’を開閉する下部扉（開閉扉）１７とを取り付けるための蝶番部(図示せず)が設けられており、当該矩形フレーム１３にこれらの上部扉１６と下部扉１７が開閉自在に取り付けられている（図１（ａ））。
【００３０】
１８は、上記矩形フレーム１３の上横辺部１３ｃに設けられた発光部としてのフラット型表示灯であり以下のように構成されている。図５に示すように、上記フレーム１３における上横辺部１３ｃの前面側板部１３ｃ’中央部に所定範囲に亘り横長開口部１９を貫設し、該横長開口部１９の内部（後方）に表示灯格納ボックス２０を、その開口部２０’が上記横長開口部１９に一致するように設置する（図５参照）。このボックス２０の前面開口部２０’の開口面積は、上記横長開口部１９の面積と略同様であり、上記ボックス２０はその開口部２０’が上記横長開口部１９に一致するように取り付けられる。
【００３１】
上記ボックス２０内には、上記開口部１９に向けて複数（図７（ａ）では５個）の発光ダイオード２１を横方向に等間隔で並設し、各ダイオード２１を取付部２１ａを持って上記ボックス２０の底面２０ａに固定する。さらに、上記各ダイオード２１の基部２１’と上記ボックス２０の開口部２０’との間には、鏡面仕上げの光反射板２２を設ける。この光反射板２２は、上記各ダイオード２１から上記開口部１９方向に末広がり状に形成された反射部２２’を有しており、上記発光ダイオード２１の光を効率的に開口部１９方向に反射させる機能を有するものである。
【００３２】
上記横長開口部１９には内側から赤色光拡散板(赤色発光部)２３が嵌合固定されている。この赤色光拡散板２３は、赤色透明又は赤色半透明の合成樹脂板により構成されており、上記各発光ダイオード２１及び反射板２２’から入射する光を透過拡散させ、表示灯１８部分を赤色に明るく照らす機能を有するものである。表示灯１８はこのように構成されており、全体として細長形状をなし、上記上部扉１６の上辺に沿う方向に設けられている。
【００３３】
尚、図５中、２４は発光ダイオードの端子、２５は各発光ダイオード２１を電気的に接続すると共に各ダイオード２１に給電するためのケーブルである。
【００３４】
このフラット型表示灯１８は図１（ａ）、図３に示すように、上記矩形フレーム１３の上横辺部１３ｃのみならず、左右縦辺部１３ｄ、１３ｄの前面側板部１３ｄ’，１３ｄ’にも同様に縦方向に設けられている。この左右縦辺部１３ｄ、１３ｄの表示灯１８、１８は、図１（ａ）に示すように上記上部扉１６を挟む位置に同じ高さに設けられており、上記上横辺部１３ｃの表示灯１８と共に、上記警報機器格納部を開閉する上部扉１６を「コ」字状に取り囲むように設けられている。
【００３５】
上記左右縦辺部１３ｄ，１３ｄの前面側板部１３ｄ’，１３ｄ’に縦方向に設けられたフラット型表示灯１８の構造は、上記上横辺部１３ｃに設けられたフラット側表示灯１８と同様であり、上部扉１６の両側縁に沿うように上記フレーム１４の左右縦辺部１３ｄ，１３ｄの前面側板部１３ｄ’，１３ｄ’に図５に示す構造と同様の構造で設けられている。
【００３６】
図８に示すものは、本発明の表示灯１８（発光ダイオード２１）への給電構成を示すブロック図であり、同図（ａ）に示すものは、建物内の管理室等に設置されている火災受信機から直接電源を供給する構成、（ｂ）は上記火災受信機から供給する電源を一旦非常用バッテリー２６に充電し、常時開放のリレー回路２７を介して各発光ダイオード２１に給電する構成、（ｃ）は一般商用電源からの交流電源を変圧整流器２８で整流変圧し、一旦非常用バッテリー２６に充電し、常時開放のリレー回路２７を介して各発光ダイオード２１に給電する構成である。上記発光ダイオード２１への給電方式は何れの方式を用いても良いが、停電時等を考慮すると非常用バッテリー２６を用いた（ｂ）（ｃ）の構成が好ましい。尚、上記火災受信機は、建物内に設置されている火災感知器から火災検知信号を受信する受信機をいう。
【００３７】
本発明は上述のように構成されるものであるから、本発明の消火栓格納箱１０を設置する場合は、設置部の壁３０の設置開口部３１（図１（ｂ）参照）に格納箱本体１１を設置固定し、箱本体１１の前面開口部１１ａに矩形フレーム１３を宛がい、その突出リブ１５を上記箱本体１１の突出リブ１２に接合し、アジャストボルト取付用透孔１２ａ，１５ａを一致させると共に、同孔１２ａ，１５ａにアジャストボルトＢを挿入してナットＮにて当該フレーム１３を上記箱本体１１の前面側に取り付ける。これにより、上記格納箱本体１１前面側に矩形フレーム１３が取り付けられた（図１（ａ）（ｂ）参照）。
【００３８】
その後、上記フレーム１３の開口部１３ａに上部扉１６と下部扉１７を取り付けることにより設置が完了する。その後、給電方式に応じて電気系統の配線接続を行い、発光ダイオード２１に給電すれば良い。尚、本発明においては、上記矩形フレーム１３の上記３箇所に上記フラット型表示灯１８が予め組み込まれているため、設置現場での表示灯その他表示灯の関連部品の取り付け作業は必要ない。
【００３９】
すると、上記３箇所のフラット型表示灯１８内の発光ダイオード２１が発光するため、上記３箇所のフラット型表示灯１８が赤く点灯する。このとき、上記発光ダイオード２１からの光は反射板２２’で前方に反射され、かつ赤色拡散板２３を透過することにより、広く拡散し、しかも表示灯８が消火栓格納箱１０の上半部３箇所に存在するので、各方向から当該表示灯１８の発光を容易に確認することができる。
【００４０】
また、表示灯１８はフラットであり、従来のように消火栓格納箱前面から大きく突出することはないので、破損等の危険性も極めて少なく、狭い通路等においても支障なく設置が可能となる。
【００４１】
図１（ｃ）には、図１（ａ）（ｂ）に示すような壁面埋め込み型ではなく、地面等に直接設置される露出型の消火栓格納箱１０’を示す。この露出型の消火栓格納箱１０’も、図１（ａ）（ｂ）に示す表示灯と同様のフラット型表示灯１８が図１（ａ）と同様に設けられている（図１（ａ）参照）。
【００４２】
この露出型の消火栓格納箱１０’は、図１０に示すように、箱本体１１の天面１１ａが、上記矩形フレーム１３の上部の側板部１３ｃ”と同じ高さに設けられている点のみ上記壁面埋め込み型と異なるものであり、その他は上記図１（ａ）（ｂ）と同様である。尚、図１（ｃ）中、３０は壁、３７は上記箱本体１１の自立用脚部である。
【００４３】
図２（ａ）（ｂ）に示すものは、本発明の第２の実施形態として、発光部としてのアール型表示灯１８’を示すものである。尚、以下の説明において、上記第１の実施形態と同一部分又は対応部分については同一符号を付し、上記第１の実施形態と相違点について説明し、同一部分については便宜上説明を省略する。
【００４４】
このアール型表示灯１８’は、図４、図６に示すように上記フラット型表示灯１８と異なる点は、上記矩形フレーム１３の上横辺部１３ｃの前面側板部１３ｃ’と、該板部１３ｃ’に直交する側板部１３ｃ”にかけてのコーナ部３２に設けられている点である。
【００４５】
このアール型表示灯１８’のボックス２０は、横断面Ｌ字形状であり（図６参照）、その開口部２０’は上記コーナ部３２に設けられた開口部１９に一致するように設けられている。そして、発光ダイオード２１は、上記コーナ部３２に向けて上方に約４５度の角度を以って並設されており（図７（ｂ）では５個）、光反射板２２の反射部２２’は、上記発光ダイオード２１の光がコーナ部３２に向けて反射するような角度で設置されている。
【００４６】
さらに赤色拡散板（赤色発光部）２３は横断面略Ｌ字状に構成されており、上記開口部１９の内側から該開口部１９を密閉するように取り付けられ、当該取付状態において、上記矩形フレーム１３の上横辺部１３ｃのコーナ部３２と面一状態となるように構成されている。また、このアール型表示灯１８’は上記矩形フレーム１３の左右縦辺部１３ｄ，１３ｄのコーナ部にも各々同一高さで縦型に設けられている（図２（ａ）（ｂ）、図４参照）。
【００４７】
このように、上記アール型表示灯１８’は、その赤色拡散板３２が上記矩形フレーム１３の前面側のみならず、その側面側にも回りこんで設けられているので、上記第１の実施形態の作用効果に加えて、壁面３０に設置した場合であっても、上記矩形フレーム１３側面にまで赤色拡散板が位置するので、特に側面方向或は斜め方向からの当該表示灯１８’の視認性を向上させることができる(図２（ｂ）参照)。尚、図４では便宜上図示は省略しているが、当該矩形アーム１３にも第１の実施形態の矩形フレーム（図３）と同様に取付板１４、突出リブ１５等が設けられており、上記アール型表示灯１８’の部分を除く矩形フレームの構成としては、第１の実施形態の矩形フレーム１３と同様の構成を有している。
【００４８】
図９（ａ）から同図（ｄ）に示すものは、上記フラット型表示灯１８の設置位置のバリエーションを示すものであり、同図（ａ）は矩形フレーム１３の上横辺部１３ｃにのみ設けたもの、同図９（ｂ）は表示灯１８の設置位置は（ａ）と同じ位置であるが、上部扉１６中央部に「非常口」への誘導矢印表示３４を設けているもの、（ｃ）はフラット型表示灯１８を左縦辺部１３ｄにのみ縦方向に設けたもの、（ｄ）はフラット型表示灯１８を矩形フレーム１３の右縦辺部１３ｄにのみ縦方向に設けたものである。このように表示灯１８の設置位置は上記上部扉１６の周辺の矩形フレーム１３部分であることが好ましいが、図９に示す以外の位置であっても良い。勿論図９（ａ）から（ｄ）に示したのはフラット型表示部１８であるが、これらの表示部をアール型表示灯１８’に置き換えても差し支えない。
【００４９】
図２（ｃ）に示すものは、アール型表示灯１８’を有する露出型の消火栓格納箱１０’であり、表示灯がアール型である点を除いては、図１（ｃ）の消火栓格納箱１０’と同様の構成を有するものである。
【００５０】
さらに、図１３に示すように、警報機器を有さずに、消火栓ホースだけが収容された消火栓格納箱１０”が存在するが、この場合も同様に矩形フレーム１３の上半部の３箇所に設けることが好ましい。
【００５１】
図１１に示すものは、上記フラット型表示灯１８のさらに他の実施形態であり、その赤色拡散板（赤色発光部）２３の表面に横断面三角形状（横断面山形）のテーパ面２３ａ，２３ａを形成したものである。このように構成すると、上記矩形フレーム１３の上横辺部１３ｃの表示灯１８においては発光ダイオード２１の光を上記テーパ面２３ａ，２３ａにより主に上下方向に拡散でき、上記矩形フレーム１３の左右縦辺部１３ｄ，１３ｄにおける表示灯１８では発光ダイオード２１の光を上記テーパ面２３ａ、２３ａにより主に左右方向に拡散することができ、各方向からの各表示灯１８の視認性をさらに高めることができる。同時に、破損の可能性の少ないフラット型表示灯１８を実現することができる。
【００５２】
図１２に示すものは、さらなる他の実施形態を示すものであり、円形の赤色拡散板２３”を有する表示灯１８”を示すものである。即ち、上記矩形フレーム１３の上横辺部１３ｃ及び左右縦辺部１３ｄ、１３ｄの前面部に比較的小さい赤色半球形表示灯１８”を設けたものである。この表示灯１８”は、発光ダイオード１個に対応する程度の大きさで、かつ上記矩形フレーム１３の前面側に設置可能な程度の小さいものであり、上記矩形フレーム１３の上半部の３箇所に設ける。このように構成すると、従来のように上部扉１６に大きな表示灯を設ける必要はなく、表示灯自体の破損を防止できると共に、視認性の良い表示灯１８”を有する消火栓格納箱を実現することができる。尚、上記表示灯１８”は表面がフラットな円形に構成しても良い。
【００５３】
以上のように本発明の消火栓格納箱１０は、表示灯１８，１８’、１８”が格納箱の表面から大きく突出するということはなく、またその形状も細長形状等、格納箱の開閉扉周囲の矩形フレーム１３の前面側に収まる大きさであるので、破損等の危険性も極めて少なく、狭い通路等においても支障なく設置が可能となる。
【００５４】
また、表示灯１８，１８’１８”が消火栓格納箱１０の上半部に存在するので、各方向から当該表示灯の発光を容易に確認することができる。
【００５５】
また、表示灯１８，１８’、１８”を消火栓格納箱の上半部の複数個所に設けることによりさらに視認性を向上させることができる。
【００５６】
また、表示灯を矩形フレーム１３に予め取り付けておくことが可能であるので、現場での消火栓格納箱１０の設置作業を効率化し得る。
【００５７】
また、消火栓格納箱１０から表示灯１８，１８’、１８”が大きく突出することがないので、消火栓格納箱の運搬・移動を効率的に行うことができる。
【００５８】
上記実施形態では、光源として発光ダイオードを用いたが、これに限定されず、小型の蛍光灯等でも良い。尚、図１、図２中、３５は警報音の放音部、３６は警報スイッチである。
【図面の簡単な説明】
【００５９】
【図１】（ａ）は本発明に係る第１の実施形態の消火栓格納箱の壁面設置型の正面図、（ｂ）は（ａ）の一部断面側面図、（ｃ）は同上消火栓格納箱の露出型の側面図である。
【図２】（ａ）は本発明に係る第２の実施形態の消火栓格納箱の壁面設置型の正面図、（ｂ）は（ａ）の一部断面側面図、（ｃ）は同上消火栓格納箱の露出型の側面図である。
【図３】同上第１の実施形態における消火栓格納箱の箱本体と矩形フレームの斜視図である。
【図４】同上第２の実施形態における消火栓格納箱の矩形フレームの一部省略斜視図である。
【図５】同上第１の実施形態における消火栓格納箱の表示灯の構成を示す側面断面図である。
【図６】同上第２の実施形態における消火栓格納箱の表示灯の構成を示す側面断面図である。
【図７】（ａ）は第１の実施形態における表示灯の正面図、（ｂ）は第２の実施形態における表示灯の正面図である。
【図８】（ａ）〜（ｃ）は何れも同上消火栓格納箱の表示灯への給電構成を示す電気的ブロック図である。
【図９】（ａ）〜（ｄ）は何れも第１の実施形態における表示灯の取り付け位置のバリエーションを示す消火栓格納箱の正面図である。
【図１０】同上第１の実施形態における露出型の消火栓格納箱の表示灯の構成を示す側面断面図である。
【図１１】同上第１の実施形態における消火栓格納箱の矩形フレームを示すものであり、（ａ）は正面図、（ｂ）は（ａ）の側面図、（ｃ）は表示灯の横断面図である。
【図１２】同上消火栓格納箱の他の実施形態の矩形フレームを示すものであり、（ａ）は正面図、（ｂ）は側面図である。
【図１３】警報機器の存在しない消火栓格納箱の正面図である。
【図１４】何れも従来の消火栓格納箱を示すものであり，（ａ）は正面図、（ｂ）は一部断面側面図、（ｃ）は従来の露出型の消火栓格納箱の側面図である。
【符号の説明】
【００６０】
１０      消火栓格納箱
１１      格納箱本体
１１ａ    前面開口部
１３      矩形フレーム
１３ｃ    上横辺部
１３ｄ    左右縦辺部
１６      上部扉
１７      下部扉
１８      フラット型表示灯
１８’    アール型表示灯
１８”    赤色半球型表示灯
２１      発光ダイオード
２３ａ    テーパー面
【図１】
2007229108.tif 000003
【図２】
2007229108.tif 000004
【図３】
2007229108.tif 000005
【図４】
2007229108.tif 000006
【図５】
2007229108.tif 000007
【図６】
2007229108.tif 000008
【図７】
2007229108.tif 000009
【図８】
2007229108.tif 000010
【図９】
2007229108.tif 000011
【図１０】
2007229108.tif 000012
【図１１】
2007229108.tif 000013
【図１２】
2007229108.tif 000014
【図１３】
2007229108.tif 000015
【図１４】
2007229108.tif 000016